(57)【要約】【課題】画像データに複数の種類の文字が含まれる場合に、特定の種類の文字に対して視認性を改善させる。【解決手段】画像データに応じて画像を書き込む画像形成装置であって、画像データと共に入力されるタグ情報に基づいて、画像データ中の文字の種類ごとに視認性を改善させるか否かを示す処理情報をタグ情報に付加する制御を行う画像データ制御部と、画像データ制御部が処理情報を付加したタグ情報に応じて、画像データ中の文字の種類ごとに視認性を改善させて画像を書き込む書込制御部と、を有する。【選択図】図６
2017211551.tif 000002
【特許請求の範囲】
【請求項１】
画像データに応じて画像を書き込む画像形成装置であって、
画像データと共に入力されるタグ情報に基づいて、画像データ中の文字の種類ごとに視認性を改善させるか否かを示す処理情報をタグ情報に付加する制御を行う画像データ制御部と、
前記画像データ制御部が処理情報を付加したタグ情報に応じて、画像データ中の文字の種類ごとに視認性を改善させて画像を書き込む書込制御部と、
を有することを特徴とする画像形成装置。
【請求項２】
前記画像データ制御部は、
画像データ中の文字のエッジ処理の強度を指示する処理情報をタグ情報に付加すること
を特徴とする請求項１に記載の画像形成装置。
【請求項３】
ユーザからの指示を示す操作入力を受入れる操作部をさらに有し、
前記画像データ制御部は、
前記操作部が受入れた操作入力に基づいて、処理情報をタグ情報に付加すること
を特徴とする請求項１又は２に記載の画像形成装置。
【請求項４】
前記画像データ制御部は、
画像データ中の文字線画の属性に応じて、文字にエッジ処理を実施するか否かを示す処理情報をタグ情報に付加する制御を行うこと
を特徴とする請求項１乃至３のいずれか１項に記載の画像形成装置。
【請求項５】
前記画像データ制御部は、
文字のフォント情報に基づいて、文字にエッジ処理を実施するか否かを示す処理情報をタグ情報に付加する制御を行うこと
を特徴とする請求項４に記載の画像形成装置。
【請求項６】
画像データにタグ情報を付加して送信する情報処理装置と、
前記情報処理装置が送信した画像データに応じて画像を書き込む請求項１乃至５のいずれか１項に記載の画像形成装置と、
を有することを特徴とする画像形成システム。
【請求項７】
画像データと共に入力されるタグ情報に基づいて、画像データ中の文字の種類ごとに視認性を改善させるか否かを示す処理情報をタグ情報に付加する工程と、
処理情報を付加したタグ情報に応じて、画像データ中の文字の種類ごとに視認性を改善させて画像を書き込む工程と、
を含む画像形成方法。
【請求項８】
画像データと共に入力されるタグ情報に基づいて、画像データ中の文字の種類ごとに視認性を改善させるか否かを示す処理情報をタグ情報に付加するステップと、
処理情報を付加したタグ情報に応じて、画像データ中の文字の種類ごとに視認性を改善させて画像を書き込むステップと、
をコンピュータに実行させるための画像作成プログラム。
【発明の詳細な説明】
【技術分野】
【０００１】
本発明は、画像形成装置、画像形成システム、画像形成方法及び画像形成プログラムに関する。
【背景技術】
【０００２】
電子写真方式の画像形成装置では、作像する画像において、文字線画のエッジ部を太らせる処理、又は細くする処理を行うことは、文字のサイズが小さく画数が多い場合にも、文字の視認性を改善することに有効であることが知られている。
【０００３】
また、特許文献１には、第１解像度の画像データ、および、画素が文字または線を構成する画素であるか否かを示すタグ情報を生成する画像処理部と、第１解像度の画像データを第１解像度より高い第２解像度の画像データに変換する解像度変換部と、第２解像度の画像データに応じて光源を駆動する光源駆動部と、を備え、解像度変換部は、対象画素および対象画素の周囲の画素を含む領域における第１解像度の画像データおよびタグ情報であるイメージマトリクスを取得するイメージマトリクス取得部と、イメージマトリクスに基づき、対象画素が文字または線のエッジを構成する画素であるか否かを判断するパターンマッチング部と、エッジを構成する画素である場合、対象画素を配置に対応して定められるパターンの第２解像度の画像データに変換する第１変換部とを有する画像形成装置が開示されている。
【発明の概要】
【発明が解決しようとする課題】
【０００４】
しかしながら、同一頁内に複数のフォントの文字がある場合に、あるフォントの文字に対しては視認性が改善されるが、他のフォントの文字に対してはかえって視認性が悪化してしまうことがあった。
【０００５】
本発明は、上記に鑑みてなされたものであって、画像データに複数の種類の文字が含まれる場合に、特定の種類の文字に対して視認性を改善させることができる画像形成装置、画像形成システム、画像形成方法及び画像形成プログラムを提供することを目的とする。
【課題を解決するための手段】
【０００６】
上述した課題を解決し、目的を達成するために、本発明は、画像データに応じて画像を書き込む画像形成装置であって、画像データと共に入力されるタグ情報に基づいて、画像データ中の文字の種類ごとに視認性を改善させるか否かを示す処理情報をタグ情報に付加する制御を行う画像データ制御部と、前記画像データ制御部が処理情報を付加したタグ情報に応じて、画像データ中の文字の種類ごとに視認性を改善させて画像を書き込む書込制御部と、を有する。
【発明の効果】
【０００７】
本発明によれば、画像データに複数の種類の文字が含まれる場合に、特定の種類の文字に対して視認性を改善させることができるという効果を奏する。
【図面の簡単な説明】
【０００８】
【図１】図１は、実施形態のカラープリンタの概略構成を示す図である。
【図２】図２は、光走査装置の光学系の構成を示す図である。
【図３】図３は、光源からポリゴンミラーまでの光路の一例を示す図である。
【図４】図４は、光源からポリゴンミラーまでの光路の一例を示す図である。
【図５】図５は、光走査装置が有する機能の前提となる評価結果例を示す図である。
【図６】図６は、光走査装置が有する機能及びその周辺を示す機能ブロック図である。
【図７】図７は、フォント群（第１例）を示す図である。
【図８】図８は、フォント群（第２例）を示す図である。
【発明を実施するための形態】
【０００９】
以下に添付図面を参照して、本発明の実施形態である、画像形成装置の一例としてカラープリンタ２０００を詳細に説明する。
【００１０】
図１は、実施形態のカラープリンタ２０００の概略構成を示す図である。カラープリンタ２０００は、記録紙（対象物）にトナーを転写して印刷物を製造する。カラープリンタ２０００は、４色（ブラック、シアン、マゼンタ、イエロー）を重ね合わせてフルカラーの画像を形成するタンデム方式の多色カラープリンタである。
【００１１】
カラープリンタ２０００は、光走査装置２０１０と、４つの感光体ドラム２０３０ａ，２０３０ｂ，２０３０ｃ，２０３０ｄ（４つを総称する場合には感光体ドラム２０３０と称する。）と、４つのクリーニングユニット２０３１ａ，２０３１ｂ，２０３１ｃ，２０３１ｄ（４つを総称する場合にはクリーニングユニット２０３１と称する。）と、４つの帯電装置２０３２ａ，２０３２ｂ，２０３２ｃ，２０３２ｄ（４つを総称する場合には帯電装置２０３２と称する。）とを備える。さらに、カラープリンタ２０００は、４つの現像ローラ２０３３ａ，２０３３ｂ，２０３３ｃ，２０３３ｄ（４つを総称する場合には現像ローラ２０３３と称する。）と、４つのトナーカートリッジ２０３４ａ，２０３４ｂ，２０３４ｃ，２０３４ｄ（４つを総称する場合にはトナーカートリッジ２０３４と称する。）とを備える。さらに、カラープリンタ２０００は、転写ベルト２０４０と、転写ローラ２０４２と、定着ローラ２０５０と、給紙コロ２０５４と、レジストローラ対２０５６と、排紙ローラ２０５８と、給紙トレイ２０６０と、排紙トレイ２０７０と、通信制御装置２０８０と、濃度検出器２２４５と、４つのホームポジションセンサ２２４６ａ，２２４６ｂ，２２４６ｃ，２２４６ｄ（４つを総称する場合にはホームポジションセンサ２２４６と称する。）と、プリンタ制御装置２０９０とを備える。
【００１２】
通信制御装置２０８０は、ネットワーク等を介した上位装置（例えばコンピュータなどの情報処理装置）との双方向の通信を制御する。上位装置は、例えばタグ情報が付加された画像データをカラープリンタ２０００に送信する。
【００１３】
プリンタ制御装置２０９０は、カラープリンタ２０００に備えられるそれぞれの部を統括的に制御する。プリンタ制御装置２０９０は、ＣＰＵ（Central  Processing  Unit）、ＣＰＵで実行されるコードで記述されたプログラムおよびプログラムを実行する際に用いられる各種データが格納されているＲＯＭ、作業用のメモリであるＲＡＭ、アナログデータをデジタルデータに変換するＡＤ変換回路等を有する。そして、プリンタ制御装置２０９０は、上位装置からの要求に応じてそれぞれの部を制御するとともに、上位装置からの画像データを光走査装置２０１０に送る。
【００１４】
感光体ドラム２０３０ａ、帯電装置２０３２ａ、現像ローラ２０３３ａ、トナーカートリッジ２０３４ａ、およびクリーニングユニット２０３１ａは、一組で使用される。これらは、ブラックの画像を形成する画像形成ステーション（Ｋステーションという場合もある）を構成する。
【００１５】
感光体ドラム２０３０ｂ、帯電装置２０３２ｂ、現像ローラ２０３３ｂ、トナーカートリッジ２０３４ｂ、およびクリーニングユニット２０３１ｂは、一組で使用される。これらは、シアンの画像を形成する画像形成ステーション（Ｃステーションという場合もある）を構成する。
【００１６】
感光体ドラム２０３０ｃ、帯電装置２０３２ｃ、現像ローラ２０３３ｃ、トナーカートリッジ２０３４ｃ、およびクリーニングユニット２０３１ｃは、一組で使用される。これらは、マゼンタの画像を形成する画像形成ステーション（Ｍステーションという場合もある）を構成する。
【００１７】
感光体ドラム２０３０ｄ、帯電装置２０３２ｄ、現像ローラ２０３３ｄ、トナーカートリッジ２０３４ｄ、およびクリーニングユニット２０３１ｄは、一組で使用される。これらは、イエローの画像を形成する画像形成ステーション（Ｙステーションという場合もある）を構成する。
【００１８】
それぞれの感光体ドラム２０３０は、潜像担持体の一例であり、何れも、その表面に感光層が形成されている。すなわち、それぞれの感光体ドラム２０３０の表面は、被走査面となる。なお、感光体ドラム２０３０ａ，２０３０ｂ，２０３０ｃ，２０３０ｄは、回転軸が平行に並んで配置され、例えば全て同一の方向（例えば図１における面内で矢印方向）に回転する。
【００１９】
なお、ここでは、ＸＹＺ３次元直交座標系において、それぞれの感光体ドラム２０３０の中心軸に平行な方向をＹ軸方向、それぞれの感光体ドラム２０３０の配列方向に沿った方向をＸ軸方向として説明する。
【００２０】
それぞれの帯電装置２０３２は、対応する感光体ドラム２０３０の表面をそれぞれ均一に帯電させる。光走査装置２０１０は、画像データ（ブラック画像データ、シアン画像データ、マゼンタ画像データ、イエロー画像データ）に基づいて、色毎に変調された光束を、対応する帯電された感光体ドラム２０３０の表面にそれぞれ照射する。これにより、それぞれの感光体ドラム２０３０の表面では、光が照射された部分だけ電荷が消失し、画像データに対応した潜像がそれぞれの感光体ドラム２０３０の表面にそれぞれ形成される。ここで形成された潜像は、感光体ドラム２０３０の回転に伴って対応する現像ローラ２０３３の方向に移動する。なお、この光走査装置２０１０の構成については詳細を後述する。
【００２１】
ところで、それぞれの感光体ドラム２０３０において、画像データが書き込まれる領域は、「有効走査領域」、「画像形成領域」、「有効画像領域」などと呼ばれている。
【００２２】
トナーカートリッジ２０３４ａには、ブラックトナーが格納されている。ブラックトナーは、現像ローラ２０３３ａに供給される。トナーカートリッジ２０３４ｂには、シアントナーが格納されている。シアントナーは、現像ローラ２０３３ｂに供給される。トナーカートリッジ２０３４ｃには、マゼンタトナーが格納されている。マゼンタトナーは、現像ローラ２０３３ｃに供給される。トナーカートリッジ２０３４ｄには、イエロートナーが格納されている。イエロートナーは、現像ローラ２０３３ｄに供給される。
【００２３】
それぞれの現像ローラ２０３３は、回転に伴って、対応するトナーカートリッジ２０３４からのトナーが、その表面に薄く均一に塗布される。そして、それぞれの現像ローラ２０３３の表面のトナーは、対応する感光体ドラム２０３０の表面に接すると、この表面における光が照射された部分にだけ移行し、そこに付着する。すなわち、それぞれの現像ローラ２０３３は、対応する感光体ドラム２０３０の表面に形成された潜像にトナーを付着させて顕像化させる。
【００２４】
転写ベルト２０４０は、ベルト回転機構に掛け渡されて、一定方向に回転する。転写ベルト２０４０は、外側の面が、それぞれの感光体ドラム２０３０ａ，２０３０ｂ，２０３０ｃ，２０３０ｄの表面に、光走査装置２０１０とは反対側の位置で接触する。また、転写ベルト２０４０は、外側の面が、転写ローラ２０４２と接触する。
【００２５】
ここで、それぞれの感光体ドラム２０３０の表面上におけるトナーが付着した像（トナー画像）は、感光体ドラム２０３０の回転に伴って転写ベルト２０４０の方向に移動する。そして、イエロー、マゼンタ、シアン、ブラックのそれぞれのトナー画像は、所定のタイミングで転写ベルト２０４０上に順次転写され、重ね合わされてカラー画像が形成される。転写ベルト２０４０上に形成されたカラー画像は、転写ベルト２０４０の移動に伴い、転写ローラ２０４２の方向に移動する。
【００２６】
給紙トレイ２０６０には、記録紙が格納されている。この給紙トレイ２０６０の近傍には、給紙コロ２０５４が配置されている。給紙コロ２０５４は、記録紙を給紙トレイ２０６０から１枚ずつ取り出し、レジストローラ対２０５６に搬送する。
【００２７】
レジストローラ対２０５６は、所定のタイミングで記録紙を転写ベルト２０４０と転写ローラ２０４２との間隙に向けて送り出す。これにより、転写ベルト２０４０上のカラー画像は、記録紙に転写される。ここで転写された記録紙は、定着ローラ２０５０に送られる。
【００２８】
定着ローラ２０５０は、熱と圧力とを記録紙に加える。これにより、定着ローラ２０５０は、トナーを記録紙上に定着させることができる。トナーが定着された記録紙は、排紙ローラ２０５８を介して排紙トレイ２０７０に送られ、排紙トレイ２０７０上に順次スタックされる。
【００２９】
それぞれのクリーニングユニット２０３１は、対応する感光体ドラム２０３０の表面に残ったトナー（残留トナー）を除去する。残留トナーが除去された感光体ドラム２０３０の表面は、再度対応する帯電装置２０３２に対向する位置に戻る。
【００３０】
濃度検出器２２４５は、転写ベルト２０４０の−Ｘ側（定着ローラ２０５０よりも転写ベルト２０４０の進行方向における上流側であって、４つの感光体ドラム２０３０よりも下流側の位置）に配置されている。
【００３１】
ホームポジションセンサ２２４６ａは、感光体ドラム２０３０ａにおける回転のホームポジションを検出する。ホームポジションセンサ２２４６ｂは、感光体ドラム２０３０ｂにおける回転のホームポジションを検出する。ホームポジションセンサ２２４６ｃは、感光体ドラム２０３０ｃにおける回転のホームポジションを検出する。ホームポジションセンサ２２４６ｄは、感光体ドラム２０３０ｄにおける回転のホームポジションを検出する。
【００３２】
図２は、光走査装置２０１０の光学系の構成を示す図である。図３は、光源２２００ａからポリゴンミラー２１０４までの光路、および、光源２２００ｂからポリゴンミラー２１０４までの光路の一例を示す図である。図４は、光源２２００ｃからポリゴンミラー２１０４までの光路、および、光源２２００ｄからポリゴンミラー２１０４までの光路の一例を示す図である。
【００３３】
つぎに、光走査装置２０１０の光学系の構成について説明する。光走査装置２０１０は、光学系として、４つの光源２２００ａ，２２００ｂ，２２００ｃ，２２００ｄと、４つのカップリングレンズ２２０１ａ，２２０１ｂ，２２０１ｃ，２２０１ｄと、４つの開口板２２０２ａ，２２０２ｂ，２２０２ｃ，２２０２ｄと、４つのシリンドリカルレンズ２２０４ａ，２２０４ｂ，２２０４ｃ，２２０４ｄとを有する。さらに、光走査装置２０１０は、光学系として、ポリゴンミラー２１０４と、４つの走査レンズ２１０５ａ，２１０５ｂ，２１０５ｃ，２１０５ｄと、６枚の折り返しミラー２１０６ａ，２１０６ｂ，２１０６ｃ，２１０６ｄ，２１０８ｂ，２１０８ｃとを有する。これらは、光学ハウジングの所定位置に組み付けられている。
【００３４】
それぞれの光源２２００ａ，２２００ｂ，２２００ｃ，２２００ｄは、複数の発光部が２次元配列された面発光レーザアレイを含んでいる。面発光レーザアレイの複数の発光部は、すべての発光部を副走査対応方向に伸びる仮想線上に正射影したときに、発光部間隔が等間隔となるように配置されている。それぞれの光源２２００ａ，２２００ｂ，２２００ｃ，２２００ｄは、一例として、垂直共振器面発光レーザ（ＶＣＳＥＬ）である。
【００３５】
カップリングレンズ２２０１ａは、光源２２００ａから射出された光束の光路上に配置され、通過する光束を略平行光束とする。カップリングレンズ２２０１ｂは、光源２２００ｂから射出された光束の光路上に配置され、通過する光束を略平行光束とする。カップリングレンズ２２０１ｃは、光源２２００ｃから射出された光束の光路上に配置され、通過する光束を略平行光束とする。カップリングレンズ２２０１ｄは、光源２２００ｄから射出された光束の光路上に配置され、通過光束を略平行光束とする。
【００３６】
開口板２２０２ａは、開口部を有し、カップリングレンズ２２０１ａを介した光束を整形する。開口板２２０２ｂは、開口部を有し、カップリングレンズ２２０１ｂを介した光束を整形する。開口板２２０２ｃは、開口部を有し、カップリングレンズ２２０１ｃを介した光束を整形する。開口板２２０２ｄは、開口部を有し、カップリングレンズ２２０１ｄを介した光束を整形する。
【００３７】
シリンドリカルレンズ２２０４ａは、開口板２２０２ａの開口部を通過した光束を、ポリゴンミラー２１０４の偏向反射面近傍にＺ軸方向に関して結像する。シリンドリカルレンズ２２０４ｂは、開口板２２０２ｂの開口部を通過した光束を、ポリゴンミラー２１０４の偏向反射面近傍にＺ軸方向に関して結像する。シリンドリカルレンズ２２０４ｃは、開口板２２０２ｃの開口部を通過した光束を、ポリゴンミラー２１０４の偏向反射面近傍にＺ軸方向に関して結像する。シリンドリカルレンズ２２０４ｄは、開口板２２０２ｄの開口部を通過した光束を、ポリゴンミラー２１０４の偏向反射面近傍にＺ軸方向に関して結像する。
【００３８】
カップリングレンズ２２０１ａと開口板２２０２ａとシリンドリカルレンズ２２０４ａとからなる光学系は、Ｋステーションの偏向器前光学系である。カップリングレンズ２２０１ｂと開口板２２０２ｂとシリンドリカルレンズ２２０４ｂとからなる光学系は、Ｃステーションの偏向器前光学系である。カップリングレンズ２２０１ｃと開口板２２０２ｃとシリンドリカルレンズ２２０４ｃとからなる光学系は、Ｍステーションの偏向器前光学系である。カップリングレンズ２２０１ｄと開口板２２０２ｄとシリンドリカルレンズ２２０４ｄとからなる光学系は、Ｙステーションの偏向器前光学系である。
【００３９】
ポリゴンミラー２１０４は、Ｚ軸に平行な軸まわりに回転する２段構造の４面鏡を有し、それぞれの鏡が偏向反射面となる。そして、１段目（下段）の４面鏡では、シリンドリカルレンズ２２０４ｂからの光束およびシリンドリカルレンズ２２０４ｃからの光束がそれぞれ偏向され、２段目（上段）の４面鏡ではシリンドリカルレンズ２２０４ａからの光束およびシリンドリカルレンズ２２０４ｄからの光束がそれぞれ偏向されるように配置されている。
【００４０】
また、シリンドリカルレンズ２２０４ａおよびシリンドリカルレンズ２２０４ｂからのそれぞれの光束は、ポリゴンミラー２１０４の−Ｘ側に偏向され、シリンドリカルレンズ２２０４ｃおよびシリンドリカルレンズ２２０４ｄからのそれぞれの光束はポリゴンミラー２１０４の＋Ｘ側に偏向される。
【００４１】
それぞれの走査レンズ２１０５ａ，２１０５ｂ，２１０５ｃ，２１０５ｄは、光束を対応する感光体ドラム２０３０近傍に集光する光学的パワー、およびポリゴンミラー２１０４の回転に伴って、対応する感光体ドラム２０３０の面上で光スポットが主走査方向に等速で移動するような光学的パワーを有している。
【００４２】
走査レンズ２１０５ａおよび走査レンズ２１０５ｂは、ポリゴンミラー２１０４の−Ｘ側に配置されている。走査レンズ２１０５ｃおよび走査レンズ２１０５ｄは、ポリゴンミラー２１０４の＋Ｘ側に配置されている。
【００４３】
そして、走査レンズ２１０５ａおよび走査レンズ２１０５ｂは、Ｚ軸方向に積層されている。走査レンズ２１０５ｂは、１段目の４面鏡に対向している。走査レンズ２１０５ａは、２段目の４面鏡に対向している。
【００４４】
また、走査レンズ２１０５ｃおよび走査レンズ２１０５ｄは、Ｚ軸方向に積層されている。走査レンズ２１０５ｃは、１段目の４面鏡に対向している。走査レンズ２１０５ｄは、２段目の４面鏡に対向している。
【００４５】
ポリゴンミラー２１０４で偏向されたシリンドリカルレンズ２２０４ａからの光束は、走査レンズ２１０５ａ、折り返しミラー２１０６ａを介して、感光体ドラム２０３０ａに照射され、光スポットが形成される。この光スポットは、ポリゴンミラー２１０４の回転に伴って感光体ドラム２０３０ａの長手方向に移動する。すなわち、この光スポットは、感光体ドラム２０３０ａ上を走査する。このときの光スポットの移動方向が、感光体ドラム２０３０ａでの「主走査方向」であり、感光体ドラム２０３０ａの回転方向が、感光体ドラム２０３０ａでの「副走査方向」である。
【００４６】
また、ポリゴンミラー２１０４で偏向されたシリンドリカルレンズ２２０４ｂからの光束は、走査レンズ２１０５ｂ、折り返しミラー２１０６ｂおよび折り返しミラー２１０８ｂを介して、感光体ドラム２０３０ｂに照射され、光スポットが形成される。この光スポットは、ポリゴンミラー２１０４の回転に伴って感光体ドラム２０３０ｂの長手方向に移動する。すなわち、この光スポットは、感光体ドラム２０３０ｂ上を走査する。このときの光スポットの移動方向が、感光体ドラム２０３０ｂでの「主走査方向」であり、感光体ドラム２０３０ｂの回転方向が、感光体ドラム２０３０ｂでの「副走査方向」である。
【００４７】
また、ポリゴンミラー２１０４で偏向されたシリンドリカルレンズ２２０４ｃからの光束は、走査レンズ２１０５ｃ、折り返しミラー２１０６ｃおよび折り返しミラー２１０８ｃを介して、感光体ドラム２０３０ｃに照射され、光スポットが形成される。この光スポットは、ポリゴンミラー２１０４の回転に伴って感光体ドラム２０３０ｃの長手方向に移動する。すなわち、この光スポットは、感光体ドラム２０３０ｃ上を走査する。このときの光スポットの移動方向が、感光体ドラム２０３０ｃでの「主走査方向」であり、感光体ドラム２０３０ｃの回転方向が、感光体ドラム２０３０ｃでの「副走査方向」である。
【００４８】
また、ポリゴンミラー２１０４で偏向されたシリンドリカルレンズ２２０４ｄからの光束は、走査レンズ２１０５ｄ、折り返しミラー２１０６ｄを介して、感光体ドラム２０３０ｄに照射され、光スポットが形成される。この光スポットは、ポリゴンミラー２１０４の回転に伴って感光体ドラム２０３０ｄの長手方向に移動する。すなわち、この光スポットは、感光体ドラム２０３０ｄ上を走査する。このときの光スポットの移動方向が、感光体ドラム２０３０ｄでの「主走査方向」であり、感光体ドラム２０３０ｄの回転方向が、感光体ドラム２０３０ｄでの「副走査方向」である。
【００４９】
なお、それぞれの折り返しミラー２１０６ａ，２１０６ｂ，２１０６ｃ，２１０６ｄ，２１０８ｂ，２１０８ｃは、ポリゴンミラー２１０４から対応する感光体ドラム２０３０に至る光路長が互いに一致するとともに、対応する感光体ドラム２０３０における光束の入射位置および入射角が何れも互いに等しくなるように、それぞれ配置されている。
【００５０】
ポリゴンミラー２１０４とそれぞれの感光体ドラム２０３０との間の光路上に配置される光学系は、走査光学系とも呼ばれている。ここでは、走査レンズ２１０５ａと折り返しミラー２１０６ａとからＫステーションの走査光学系が構成されている。また、走査レンズ２１０５ｂと２枚の折り返しミラー２１０６ｂ，２１０８ｂとからＣステーションの走査光学系が構成されている。そして、走査レンズ２１０５ｃと２枚の折り返しミラー２１０６ｃ，２１０８ｃとからＭステーションの走査光学系が構成されている。さらに、走査レンズ２１０５ｄと折り返しミラー２１０６ｄとからＹステーションの走査光学系が構成されている。なお、それぞれの走査光学系において、走査レンズ２１０５が複数のレンズから構成されていてもよい。
【００５１】
次に、光走査装置２０１０が有する機能について詳述する。図５は、光走査装置２０１０が有する機能の前提となる評価結果例を示す図である。ここでは、光走査装置２０１０が１３種類のフォントの文字（文字サイズ６ポイントの漢字「機」）に対して、例えば細線化処理（又は太線化処理）を行う場合について説明する。なお、図５においては、文字の視認性についての官能評価結果例を○（処理により可読性向上）、△（処理の有無にかかわらずどちらも可読）、×（処理が逆効果）で示している。
【００５２】
例えば、ＭＳ  Ｐゴシック文字に対しては、光走査装置２０１０が文字の細線化処理を行うと、構成要素間のギャップができて、文字の可読性が向上する。一方、光走査装置２０１０が文字の細線化処理を行うと、例えばＨＧＰ教科書体文字は、構成要素が細くなり、文字がかすれ気味になる。
【００５３】
また、例えばＭＳ  Ｐゴシック文字は、文字の構成要素間のギャップが狭いため、光走査装置２０１０が白抜き文字に対して太線化処理を行うと、さらにギャップが狭くなり、文字がつぶれ気味になる。一方、例えばＨＧＰ教科書体文字は、光走査装置２０１０が白抜き文字に対して太線化処理を行うと、構成要素が太くなることによって背景とのコントラストが上がり、文字の可読性が向上する。
【００５４】
つまり、同一頁内に複数種類のフォントの文字がある場合に、一律に太線化処理や細線化処理を実施すると、フォント種によっては可読性が向上するが、フォント種によっては可読性が低下してしまう。特に、日本語の漢字においては、その画数の多少が可読性の良否と負の相関関係になる傾向がある。例えば、漢字の画数が少なければ可読性がよく、画数が多ければ可読性が悪くなることがある。
【００５５】
図６は、光走査装置２０１０が有する機能及びその周辺を示す機能ブロック図である。光走査装置２０１０は、画像データ制御部３３、書込制御部３４、及び光源２２００ａ，２２００ｂ，２２００ｃ，２２００ｄを有する。画像データ制御部３３及び書込制御部３４は、一部又は全部がハードウェアによって構成されてもよいし、ソフトウェア（プログラム）によって構成されてもよい。
【００５６】
また、カラープリンタ２０００は、記憶部３０、制御部３１及び操作部３２を備えている。記憶部３０は、カラープリンタ２０００が実行するプログラム、及び処理に用いるデータを記憶している。制御部３１は、カラープリンタ２０００を構成する各部を制御する。操作部３２は、例えばタッチパネルなどであり、ユーザからのカラープリンタ２０００に対する入力操作を受入れ、カラープリンタ２０００の状態や操作画面などを表示する。
【００５７】
画像データ制御部３３は、上流部（上位装置など）から送信されるタグ情報に基づいて、画像データの内容について絵柄部であるか文字であるかを識別し、絵柄部には処理（視認性改善処理）非対象のタグ情報（処理情報）を付加する制御を行う。また、画像データ制御部３３は、文字については、処理（視認性改善処理）オフとするか、付加すべき処理の強度を識別し、処理非対象、処理弱、処理中、処理強のいずれかのタグ情報を付加する。
【００５８】
より具体的には、画像データ制御部３３は、レンダリング処理部３３０、及び階調処理部３３２を有する。レンダリング処理部３３０は、プリンタ制御装置２０９０から送信される画像データ（記述言語）を１２００ｄｐｉ  ８ｂｉｔの画像データに変換し、階調処理部３３２に対して出力する。また、レンダリング処理部３３０は、画像データに含まれる文字線画に例えばエッジ処理を実施するか否かを例えば文字線画の属性ごとなどに指示するタグ情報（処理情報）を例えば２ｂｉｔのタグ情報として新たに付加し、書込制御部３４に対して出力する。例えば、２ｂｉｔのタグ情報（処理情報）は、処理非対象（０）、処理弱（１）、処理中（２）、及び処理強（３）の４つの値となる。階調処理部３３２は、例えばレンダリング処理部３３０から入力される１２００ｄｐｉ  ８ｂｉｔの画像データを２４００ｄｐｉ  １ｂｉｔのデータに変換し、書込制御部３４に対して出力する。
【００５９】
書込制御部３４は、画像データ制御部３３から受信した画像データ及びタグ情報を用いて、受信した画像データの解像度よりも高解像度のデータを生成し、高解像度のデータを用いて書き込み処理を行なう。ここで、書込制御部３４は、例えば文字線画のエッジ処理を実施するか否かを指示するタグ情報（処理情報）に基づいて、文字線画に対してエッジ処理を実施するか否かを選択する。
【００６０】
より具体的には、書込制御部３４は、画像データ制御部３３から受信するタグ情報に応じて、文字に対する細線化、又は白抜き文字に対する太線化の処理を実施する。なお、書込制御部３４は、タグが付加された位置が黒画素であるときには文字細線化を実施し、タグが付加された位置が白画素であるときには白抜き文字太線化を実施する。例えば、書込制御部３４は、処理弱の場合には４８００ｄｐｉ１ｄｏｔ、処理中の場合には４８００ｄｐｉ２ｄｏｔ、処理強の場合には４８００ｄｐｉ３ｄｏｔの幅で、文字細線化、又は白抜き文字太線化を実施する。
【００６１】
なお、上流部（上位装置など）においては、フォント種（フォント情報）と、文字細線化／白抜き文字太線化の関係を定めたテーブルが予め記憶されており、フォント種がいずれかのフォント群に対応するように設定されている。上流部（上位装置など）は、画像データ中に文字フォントを識別したとき、このテーブルを参照して、文字フォントがどのフォント群に対応しているかを示すデータをタグ情報として画像データ制御部３３へ送信する。
【００６２】
例えば、ポイント数が小さく、画数の多い漢字（ポイント数６、「機」：図５参照）を処理対象の候補とし、文字の種類に応じて対応が決められている。図７は、フォント群（第１例）を示す図である。図７に示した例では、ソリッド文字については、０：文字細線化を施さない、１：４８００ｄｐｉ１ｄｏｔ幅細線化、２：４８００ｄｐｉ２ｄｏｔ幅細線化、３：４８００ｄｐｉ３ｄｏｔ幅細線化で処理を施した印刷出力を目視にて官能評価し、いずれが適しているかによってフォント群へ分類されている。また、白抜き文字については、０：文字太線化を施さない、１：４８００ｄｐｉ１ｄｏｔ幅太線化、２：４８００ｄｐｉ２ｄｏｔ幅太線化、３：４８００ｄｐｉ３ｄｏｔ幅太線化、で処理を施した印刷出力を目視にて官能評価し、いずれが適しているかによってフォント群へ分類されている。
【００６３】
また、カラープリンタ２０００は、操作部３２を介してユーザがテーブルを変更できるようにされてもよい。例えば、情報表示画面を備えた操作部３２において、ユーザが画面を操作し、任意のフォント種の文字が属するフォント群を変更できるようにされてもよい。つまり、ユーザは、文字細線化、白抜き文字太線化の処理強度を変更し、原稿を印刷出力し、出力結果を見て好みに応じて処理強度を選択することも可能となる。
【００６４】
また、上流部（上位装置など）が予め記憶しているテーブルは、図８に示したフォント群の第２例のようにフォント群が定められてもよい。図８に示した例では、ソリッド文字については、０：文字細線化を施さない、１：４８００ｄｐｉ２ｄｏｔ幅細線化で処理を施した印刷出力を目視にて官能評価し、いずれが適しているかによってフォント群へ分類されている。また、白抜き文字については、０：文字太線化を施さない、１：４８００ｄｐｉ２ｄｏｔ幅太線化で処理を施した印刷出力を目視にて官能評価し、いずれが適しているかによってフォント群へ分類されている。
【００６５】
つまり、画像データ制御部３３から書込制御部３４へ送信されるタグ情報が１ｂｉｔとされると、画像データ制御部３３から書込制御部３４へ転送されるデータ量が低く抑えられる。なお、書込制御部３４の書込み解像度とフォントのポイント数の関係が、設計段階で定められるテーブルの作成条件とされてもよい。
【００６６】
このように、本実施形態に係るカラープリンタ２０００は、画像データ制御部３３が処理情報を付加したタグ情報に応じて、書込制御部３４が画像データ中の文字の種類ごとに視認性を改善させて画像を書き込むので、画像データに複数の種類の文字が含まれる場合に、特定の種類の文字に対して視認性を改善させることができる。
【符号の説明】
【００６７】
２０００  カラープリンタ
２０１０  光走査装置
２０３０ａ，２０３０ｂ，２０３０ｃ，２０３０ｄ  感光体ドラム
２０３１ａ，２０３１ｂ，２０３１ｃ，２０３１ｄ  クリーニングユニット
２０３２ａ，２０３２ｂ，２０３２ｃ，２０３２ｄ  帯電装置
２０３３ａ，２０３３ｂ，２０３３ｃ，２０３３ｄ  現像ローラ
２０３４ａ，２０３４ｂ，２０３４ｃ，２０３４ｄ  トナーカートリッジ
２０４０  転写ベルト
２０４２  転写ローラ
２０５０  定着ローラ
２０５４  給紙コロ
２０５６  レジストローラ対
２０５８  排紙ローラ
２０６０  給紙トレイ
２０７０  排紙トレイ
２０８０  通信制御装置
２０９０  プリンタ制御装置
２１０４  ポリゴンミラー
２１０５ａ，２１０５ｂ，２１０５ｃ，２１０５ｄ  走査レンズ
２１０６ａ，２１０６ｂ，２１０６ｃ，２１０６ｄ，２１０８ｂ，２１０８ｃ  折り返しミラー
２２００ａ，２２００ｂ，２２００ｃ，２２００ｄ  光源
２２０１ａ，２２０１ｂ，２２０１ｃ，２２０１ｄ  カップリングレンズ
２２０２ａ，２２０２ｂ，２２０２ｃ，２２０２ｄ  開口板
２２０４ａ，２２０４ｂ，２２０４ｃ，２２０４ｄ  シリンドリカルレンズ
３０      記憶部
３１      制御部
３２      操作部
３３      画像データ制御部
３４      書込制御部
３３０    レンダリング処理部
３３２    階調処理部
【先行技術文献】
【特許文献】
【００６８】
【特許文献１】特開２０１６−２１６６４号公報
【図１】
2017211551.tif 000003
【図２】
2017211551.tif 000004
【図３】
2017211551.tif 000005
【図４】
2017211551.tif 000006
【図５】
2017211551.tif 000007
【図６】
2017211551.tif 000008
【図７】
2017211551.tif 000009
【図８】
2017211551.tif 000010